(57)【要約】【課題】  帯状台紙を新規に装着する際、エア噴出管が邪魔にならないようにして、吸着板側に突出した帯状台紙の先端部を容易に折り返して装着できるようにし、帯状台紙の装着作業性の向上を図る。【解決手段】  ラベルＬを物品に貼付する吸着板と、剥離部材１０のエッジ１１の近傍且つ折り返された帯状台紙Ｄの外側に位置させられ剥離部材１０から剥離されたラベルＬの裏側から吸着板側に向けてエアを噴射し、吸着板によるラベルＬの吸着を補助するエア噴射管３０とを備えたラベル貼付装置において、このエア噴射管３０を、剥離部材１０のエッジ１１の近傍に位置してエアを噴射する噴射位置Ｆ及び剥離部材１０から離間した離間位置Ｇの２位置にエア噴射管駆動部４０で揺動により移動させるよう構成し、帯状台紙Ｄを新規に装着する際、エア噴出管３０を離間位置Ｇに位置させるようにした。【選択図】  図３
2008184218.tif 000002
【特許請求の範囲】
【請求項１】
ラベル送出部から送出された帯状台紙を折り返して該帯状台紙に仮着されたラベルを剥離するエッジを有した剥離部材と、該剥離部材で剥離されたラベルをその表側から吸着面に吸着する吸着板と、上記剥離部材のエッジの近傍且つ上記折り返された帯状台紙の外側に位置させられて上記剥離部材から剥離されたラベルの裏側から吸着板側に向けてエアを噴射し該吸着板によるラベルの吸着を補助するエア噴射管とを備えたラベル貼付装置において、
上記エア噴射管を、その一端部側に設けた揺動軸を中心に揺動可能にし、該揺動により、上記剥離部材のエッジの近傍に位置してエアを噴射する噴射位置及び上記剥離部材から離間した離間位置の２位置に移動可能にしたことを特徴とするラベル貼付装置。
【請求項２】
上記エア噴射管の離間位置を、帯状台紙を新規に装着する際に上記剥離部材から突出した帯状台紙のラベル仮着側の面よりも更に外側の位置であって、該吸着板の投影面から退避した位置に設定したことを特徴とする請求項１記載のラベル貼付装置。
【請求項３】
上記エア噴射管を上記噴射位置及び離間位置の２位置に揺動させて移動させるエア噴射管駆動部を備えたことを特徴とする請求項１または２記載のラベル貼付装置。
【請求項４】
上記剥離部材の前位に、帯状台紙を搬送する搬送ローラと、帯状台紙およびラベルの有無を検知する検知センサとを備え、帯状台紙を新規に装着する際、上記検知センサが帯状台紙の先端部の有を検知したとき、上記搬送ローラを所定時間駆動するとともに、上記エア噴射管を噴射位置から離間位置に移動させ、その後、所定時間経過後に該エア噴射管を離間位置から噴射位置に移動させるようにエア噴射管駆動部を作動させる制御部を備えたことを特徴とする請求項３記載のラベル貼付装置。
【発明の詳細な説明】
【技術分野】
【０００１】
本発明は、帯状台紙からラベルを剥離して吸着板に吸着させてラベルの貼付を行なうラベル貼付装置に係り、特に、剥離したラベルの裏側からエア噴射管によりエアを噴射して吸着板によるラベルの吸着を補助するラベル貼付装置に関する。
【背景技術】
【０００２】
従来、この種のラベル貼付装置としては、例えば、図６に示すように、供給リールを有したラベル送出部（図示せず）から送出された帯状台紙Ｄを折り返してこの帯状台紙Ｄに仮着されたラベルＬを剥離するエッジ１０１を有した剥離部材１００と、この剥離部材１００で剥離されたラベルＬをその表側から吸着面１０２に吸着する吸着位置Ｘ及び吸着したラベルＬを図示外の物品に貼付する貼付位置Ｙに移動させられる吸着板１０３と、剥離部材１００に固定され吸着板１０３の吸着位置Ｘにおいて剥離部材１００から剥離されたラベルＬの裏側から吸着板１０３側に向けてエアを噴射して吸着板１０３によるラベルＬの吸着を補助するエア噴射管１０４とを備えたものが知られている（例えば、特開２００６−１４３２３４号公報など参照）。図６中符号１０５は剥離部材１００の前位で帯状台紙Ｄに仮着されたラベルＬに印字を行なう印字ヘッド、１０６はプラテンである。
【０００３】
この種のラベル装置において、帯状台紙Ｄを新規に装着するときは、図７に示すように、帯状台紙Ｄの先端部Ｄａを、印字ヘッド１０５とプラテン１０６との間に通して送り出し、吸着板１０３側にこの先端部Ｄａを突出させ、次に、手作業により、剥離部材１００のエッジ１０１を境にして帯状台紙Ｄを折り返すとともに、この先端部Ｄａを、剥離部材１００とエア噴射管１０４との間に引き通し、巻取リール（図示せず）に巻き掛けて行なう。
【０００４】
【特許文献１】特開２００６−１４３２３４号公報
【発明の開示】
【発明が解決しようとする課題】
【０００５】
ところで、この従来のラベル貼付装置にあっては、帯状台紙Ｄを新規に装着する際、逐一、手作業により、吸着板１０３側に突出した帯状台紙Ｄの先端部Ｄａを、剥離部材１００のエッジ１０１を境にして折り返すとともに、剥離部材１００とエア噴射管１０４との間に引き通さなければならないので、装着作業が煩雑になっているという問題があった。特に、突出した帯状台紙Ｄの先端部Ｄａがエア噴出管１０４を覆うようになり、また、剥離部材１００とエア噴射管１０４との間が狭いので、エア噴出管１０４が邪魔になり、帯状台紙Ｄを折り返して装着する作業が煩雑を極めている。
【０００６】
本発明は上記の問題点に鑑みて為されたもので、帯状台紙を新規に装着する際、エア噴出管が邪魔にならないようにして、吸着板側に突出した帯状台紙の先端部を容易に折り返して装着できるようにし、帯状台紙の装着作業性の向上を図ったラベル貼付装置を提供することを目的とする。
【課題を解決するための手段】
【０００７】
上記課題を解決するため、本発明のラベル貼付装置は、ラベル送出部から送出された帯状台紙を折り返して該帯状台紙に仮着されたラベルを剥離するエッジを有した剥離部材と、該剥離部材で剥離されたラベルをその表側から吸着面に吸着する吸着板と、上記剥離部材のエッジの近傍且つ上記折り返された帯状台紙の外側に位置させられて上記剥離部材から剥離されたラベルの裏側から吸着板側に向けてエアを噴射し該吸着板によるラベルの吸着を補助するエア噴射管とを備えたラベル貼付装置において、
上記エア噴射管を、その一端部側に設けた揺動軸を中心に揺動可能にし、該揺動により、上記剥離部材のエッジの近傍に位置してエアを噴射する噴射位置及び上記剥離部材から離間した離間位置の２位置に移動可能にした構成としている。
【０００８】
これにより、帯状台紙を新規に装着するときは、エア噴射管を、噴射位置から離間位置に移動させる。この状態で、帯状台紙の先端部を剥離部材のエッジから吸着板側に突出させるとともに、突出させた先端部を剥離部材のエッジを境にして折り返す。この帯状台紙の先端部が突出する際には、エア噴射管が剥離部材から離間しているので、先端部がエア噴出管に当たりにくくなり、突出が確実に行なわれる。また、突出した先端部を折り返す際にも、エア噴出管が邪魔になりにくく、先端部の折り返しが容易に行なわれる。そのため、帯状台紙の装着が容易になり、装着作業性が大幅に向上させられる。
この場合、エア噴射管を揺動により離間させるので、移動動作を容易に行なうことができるようになる。
【０００９】
そして、必要に応じ、上記エア噴射管の離間位置を、帯状台紙を新規に装着する際に上記剥離部材から突出した帯状台紙のラベル仮着側の面よりも更に外側の位置であって、該吸着板の投影面から退避した位置に設定している。
これにより、帯状台紙を新規に装着するときは、帯状台紙の先端部が突出するが、エア噴射管は、吸着板の投影面から退避した位置にあるので、帯状台紙の先端がエア噴出管に当たる事態が確実に防止される。また、帯状台紙の先端部を剥離部材のエッジから吸着板側に突出させて折り返すが、この際に、エア噴射管を離間位置から噴射位置に移動させると、エア噴射管は剥離部材から突出した帯状台紙のラベル仮着側の面よりも更に外側の位置から移動することから、この移動過程でエア噴射管が帯状台紙の先端部を押すことになるので、これにより、帯状台紙が自動的に折り返され、より一層装着が容易になり、装着作業性が大幅に向上させられる。
【００１０】
また、必要に応じ、上記エア噴射管を上記噴射位置及び離間位置の２位置に揺動させて移動させるエア噴射管駆動部を備えた構成としている。エア噴射管駆動部により、自動的にエア噴射管を噴射位置及び離間位置の２位置に移動させることができるので、手動で移動させる場合に比較して操作が容易になる。
【００１１】
更に、必要に応じ、上記剥離部材の前位に、帯状台紙を搬送する搬送ローラと、帯状台紙およびラベルの有無を検知する検知センサとを備え、帯状台紙を新規に装着する際、上記検知センサが帯状台紙の先端部の有を検知したとき、上記搬送ローラを所定時間駆動するとともに、上記エア噴射管を噴射位置から離間位置に移動させ、その後、所定時間経過後に該エア噴射管を離間位置から噴射位置に移動させるようにエア噴射管駆動部を作動させる制御部を備えた構成としている。搬送ローラに帯状台紙の先端部を差し込むだけで、搬送ローラによる自動搬送（オートフィード）が行なわれ、更に、エア噴射管駆動部が自動的に駆動されて先端部の折り返しまで自動で行なわれるので、より一層装着が容易になり、装着作業性が向上させられる。
【発明の効果】
【００１２】
本発明のラベル貼付装置によれば、帯状台紙を新規に装着するときは、エア噴射管を、噴射位置から離間位置に移動させ、この状態で、帯状台紙の先端部を剥離部材のエッジから吸着板側に突出させるとともに、突出させた先端部を剥離部材のエッジを境にして折り返すが、エア噴射管が剥離部材から離間しているので、先端部がエア噴出管に当たりにくくなり、先端部の突出を確実に行なうことができ、また、突出した先端部を折り返す際にも、エア噴出管が邪魔になりにくく、先端部の折り返しを容易に行なうことができ、そのため、帯状台紙の装着が容易になり、装着作業性を大幅に向上させることができる。また、エア噴射管を揺動により離間させるので、移動動作を容易に行なうことができるようになる。
【００１３】
また、エア噴射管の離間位置を、帯状台紙を新規に装着する際に、剥離部材から突出した帯状台紙のラベル仮着側の面よりも更に外側の位置であって、吸着板の移動方向上側から見た該吸着板の投影面から退避した位置に設定した場合には、帯状台紙を新規に装着するときは、帯状台紙の先端部が突出するが、エア噴射管は、吸着板の移動方向上側から見た該吸着板の投影面から退避した位置にあるので、帯状台紙の先端がエア噴出管に当たる事態が確実に防止することができる。更に、帯状台紙の先端部を剥離部材のエッジから吸着板側に突出させて折り返すが、この際に、エア噴射管を離間位置から噴射位置に移動させると、エア噴射管は剥離部材から突出した帯状台紙のラベル仮着側の面よりも更に外側の位置から移動することから、この移動過程でエア噴射管が帯状台紙の先端部を押すことになるので、これにより、帯状台紙が自動的に折り返され、より一層装着が容易になり、装着作業性が大幅に向上させることができる。
【発明を実施するための最良の形態】
【００１４】
以下、添付図面に基づいて、本発明の実施の形態に係るラベル貼付装置について詳細に説明する。
図１乃至図４には、本発明の実施の形態に係るラベル貼付装置を示している。この実施の形態に係るラベル貼付装置は、機台１と、ラベルＬが等間隔に仮着された帯状台紙Ｄを巻き戻して台紙搬送経路に供給する供給リール（図示せず）を有したラベル送出部（図示せず）と、機台１に設けられ台紙搬送経路に供給された帯状台紙Ｄに仮着されたラベルＬに印字する印字ヘッド２及びプラテン３と、機台１に設けられラベル送出部から送出された帯状台紙Ｄを折り返してこの帯状台紙Ｄに仮着されたラベルＬを剥離するエッジ１１を有した剥離部材１０と、機台１に設けられ剥離部材１０でラベルＬが剥離された帯状台紙Ｄを巻き取る巻取リール（図示せず）とを備えている。図中符号５は、印字ヘッド２及びプラテン３の前位に設けられ、図示外の電動モータで駆動されて帯状台紙Ｄを搬送する搬送ローラ、符号６は、搬送ローラ５の前位に設けられ、帯状台紙Ｄおよび帯状台紙Ｄに仮着されているラベルＬの有無を検知する検知センサである。検知センサ６は、通常のラベル貼付時に搬送ローラ５の等の制御に用いられるとともに、後述の帯状台紙Ｄを新規に装着する際の制御にも用いられる。
【００１５】
また、実施の形態に係るラベル貼付装置は、図１に示すように、剥離部材１０の後流側近傍に設けられ、ラベルＬを吸着する吸着面２１を有した吸着板２０を備えている。吸着板２０は、ベース２２にスプリング２３を介して取り付けられており、剥離部材１０で剥離されたラベルＬをその表側から吸着面２１に吸着する吸着位置Ｘ及びこの吸着したラベルＬを物品（図示せず）に貼付する貼付位置Ｙにエアシリンダ装置２５により移動させられる。エアシリンダ装置２５は、シリンダ２５ａ及びピストン２５ｂからなる。ピストン２５ｂの先端には吸着板２０が取り付けられたベース２２が取り付けられている。
【００１６】
更に、実施の形態に係るラベル貼付装置は、吸着板２０の吸着位置Ｘにおいて、吸着板２０によるラベルＬの吸着を補助するエア噴射管３０を備えている。エア噴射管３０は、図２乃至図４に示すように、剥離部材１０のエッジ１１の方向と平行な軸線を有した管本体３１を備え、この管本体３１にその軸線方向に沿ってエアを噴射する噴射口３２を複数形成して構成され、剥離部材１０のエッジ１１の近傍且つ折り返された帯状台紙Ｄの外側に位置させられて、剥離部材１０から剥離されたラベルＬの裏側から吸着板２０側に向けてエアを噴射するものである。
【００１７】
エア噴射管３０は、機台１に、その一端部側に設けた揺動軸３３を中心に揺動可能に支持されており、この揺動により剥離部材１０のエッジ１１の近傍に位置してエアを噴射する噴射位置Ｆ及び剥離部材１０から離間した離間位置Ｇの２位置に移動可能になっている。詳しくは、エア噴射管３０の一端３０ａは保持体３４に保持されており、この保持体３４に揺動軸３３が設けられている。揺動軸３３の軸線方向は、ラベルＬの剥離後のラベル面に略直交させられ、実施の形態では、吸着板２０の吸着面２１に直交させられている。
そしてまた、エア噴射管３０の離間位置Ｇは、帯状台紙Ｄを新規に装着する際に、剥離部材１０から突出した帯状台紙Ｄのラベル仮着側の面よりも更に外側の位置であって、図２に示すように、吸着板２０の移動方向上側から見た該吸着板２０の投影面Ｓから退避した位置に設定さている。揺動角度θは、実施の形態では９０度である。
【００１８】
エア噴射管３０は、エア噴射管駆動部４０により噴射位置Ｆ及び離間位置Ｇの２位置に移動させられる。エア噴射管駆動部４０は、揺動軸３３を所定の揺動角度だけ回動させる電動モータ４１で構成されている。電動モータ４１は、取付部材４２を介して機台１に取り付けられている。電動モータ４１の正逆回転により、保持体３４を介してエア噴射管３０が移動させられる。
【００１９】
また、実施の形態に係るラベル貼付装置は、帯状台紙Ｄを新規に装着する際、即ち、台紙搬送経路上に帯状台紙Ｄがない状態から帯状台紙Ｄを装着する際、帯状台紙ＤおよびラベルＬの有無を検知する検知センサ６の検知に基づいて、帯状台紙Ｄを搬送する搬送ローラ５及びエア噴射管駆動部４０を制御する制御部（図示せず）を備えている。この制御部は、帯状台紙Ｄを新規に装着する際、検知センサ６が帯状台紙Ｄの先端部の有を検知したとき、搬送ローラ５を所定時間駆動するとともに、エア噴射管３０を噴射位置Ｆから離間位置Ｇに移動させ、その後、所定時間経過後にエア噴射管３０を離間位置Ｇから噴射位置Ｆに移動させるようにエア噴射管駆動部４０を作動させる。
【００２０】
従って、本発明の実施の形態に係るラベル貼付装置において、帯状台紙Ｄを新規に装着する際は、以下のように行なわれる。図５に示す制御部による制御のフローチャートも用いて説明すると、台紙搬送経路上に帯状台紙Ｄがない状態では、常時検知センサ６が帯状台紙Ｄの有無を見ている（Ｓ０１）。この状態で、先ず、ラベル送出部から帯状台紙Ｄを引出してその先端部Ｄａを搬送ローラ５に差し込む。これにより、検知センサ６が台紙を検知し（Ｓ０１Ｙ）、図３に示すように、搬送ローラ５およびプラテン３が回転駆動するとともに、エア噴射管駆動部４０が作動させられてエア噴射管３０が噴射位置Ｆから離間位置Ｇに移動させられる（Ｓ０２）。これにより、帯状台紙Ｄの先端部Ｄａが剥離部材１０のエッジ１１を通過して、吸着板２０の方へ突出していく。この場合、エア噴射管３０の離間位置Ｇは、剥離部材１０から突出した帯状台紙ＤのラベルＬの仮着側の面よりも更に外側の位置に位置するように、吸着板２０の吸着面２１の近傍に設定されているので、帯状台紙Ｄの先端部Ｄａがエア噴射管３０に干渉する事態が防止される。しかも、図２に示すように、エア噴射管３０は、吸着板２０の移動方向上側から見た該吸着板２０の投影面Ｓから退避した位置にあるので、帯状台紙Ｄの先端Ｄａがエア噴出管３０に当たる事態が確実に防止される。
【００２１】
搬送ローラ５およびプラテン３の駆動は所定時間行なわれ（Ｓ０３）、所定時間が経過すると（Ｓ０３Ｙ）、搬送ローラ５およびプラテン３の駆動が停止される（Ｓ０４）。これにより、図４に示すように、帯状台紙Ｄが所要長さ突出し、その先端部Ｄａが剥離部材１０の後流側に臨む。また、このとき、エア噴射管駆動部４０が作動させられてエア噴射管３０が離間位置Ｇから噴射位置Ｆに移動させられる（Ｓ０４）。この場合、エア噴射管３０の離間位置Ｇは、剥離部材１０から突出した帯状台紙ＤのラベルＬの仮着側の面よりも更に外側の位置に位置しているので、この離間位置Ｇから噴射位置Ｆへの移動過程で、エア噴射管３０が帯状台紙Ｄの先端部Ｄａを押すことになり、これにより、帯状台紙Ｄが自動的に折り返される。そのため、逐一手作業で先端部Ｄａを折り返さなくてもよいことから、それだけ装着が容易になる。
その後、手作業により、帯状台紙Ｄの先端部Ｄａを、巻取リール側に装着するようにする。これにより、図１に示すように、帯状台紙Ｄが装着される。
【００２２】
尚、上記実施の形態において、エア噴射管駆動部４０は、電動モータ４１で構成したが、これに限定されるものではなく、ソレノイド型のアクチュエータにするなど、どのようなものでも良く、要するに、エア噴射管３０を揺動させるものであればどのようなものであっても良い。また、上記実施の形態では、エア噴射管駆動部４０を設けたが、必ずしもこれに限定されるものではなく、特に設けずに、手動で、エア噴射管３０を揺動移動させるように構成してもよく、適宜変更して差支えない。
【図面の簡単な説明】
【００２３】
【図１】本発明の実施の形態に係るラベル貼付装置を示す正面図である。
【図２】本発明の実施の形態に係るラベル貼付装置を示す平面図である。
【図３】本発明の実施の形態に係るラベル貼付装置において帯状台紙の装着時の動作を示す斜視図である。
【図４】本発明の実施の形態に係るラベル貼付装置において帯状台紙の装着時の動作を示す別の斜視図である。
【図５】本発明の実施の形態に係るラベル貼付装置において帯状台紙の装着時の制御部の制御を示すフローチャートである。
【図６】従来のラベル貼付装置の一例を示す図である。
【図７】従来のラベル貼付装置において帯状台紙の装着時の状態を示す図である。
【符号の説明】
【００２４】
Ｄ  帯状台紙
Ｄａ  先端部
Ｌ  ラベル
１  機台
５  搬送ローラ
６  検知センサ
１０  剥離部材
１１  エッジ
２０  吸着板
２１  吸着面
Ｘ  吸着位置
Ｙ  貼付位置
２５  エアシリンダ装置
３０  エア噴射管
３１  管本体
３２  噴射口
Ｆ  噴射位置
Ｇ  離間位置
３３  揺動軸
３４  保持体
θ  揺動角度
４０  エア噴射管駆動部
４１  電動モータ
【図１】
2008184218.tif 000003
【図２】
2008184218.tif 000004
【図３】
2008184218.tif 000005
【図４】
2008184218.tif 000006
【図５】
2008184218.tif 000007
【図６】
2008184218.tif 000008
【図７】
2008184218.tif 000009